(57)【要約】【課題】この発明は、欄干パネルの着脱作業性や欄干パネルの挿入作業性を向上できる乗客コンベアの欄干パネル保持治具を得る。【解決手段】  欄干パネル保持治具１０は、移動手摺りに固定される固定部１１と、欄干パネルを保持する保持部１４と、固定部１１と保持部１４とを連結する弾性連結部材１５とを備えている。固定部１１は、移動手摺りを覆う形状に鋼板を折り曲げ成形され、一端に移動手摺りのＣ状の反ステップ側の鍔部に引っ掛かるＬ状のフック部１２と、フック部１２から移動手摺りの外周に沿って移動手摺りのステップ側下方に至るようなＬ字状のベース部１３とを備えている。保持部１４は、鋼板で作製され、下端に欄干パネルの下辺を支持する折り返し部１４ａを備えている。そして、ベース部１３の端部と保持部１４の上端とが弦巻ばねなどの弾性連結部材１５により連結されている。【選択図】図４
2005247573.tif 000002
【特許請求の範囲】
【請求項１】
乗客コンベアの欄干パネルの着脱時に、外された状態の欄干パネルを保持する欄干パネル保持治具であって、
移動手摺り又は欄干の移動手摺案内支持枠の反ステップ側に引っ掛けられ、該移動手摺りの外周面に沿って該移動手摺りのステップ側下方に至るように形成された固定部と、
上記外された状態の欄干パネルの下辺を保持する保持部と、
上記固定部と上記保持部とを弾性的に連結する弾性連結部材と
を備えたことを特徴とする乗客コンベアの欄干パネル保持治具。
【請求項２】
すべり防止材が、上記移動手摺り又は上記移動手摺案内支持枠の反ステップ側に接する上記固定部の部位、上記移動手摺りの外周面に接する上記固定部の部位、さらに上記外された状態の欄干パネルの下辺に接する上記保持部の部位に、それぞれ設けられていることを特徴とする請求項１記載の乗客コンベアの欄干パネル保持治具。
【発明の詳細な説明】
【技術分野】
【０００１】
この発明は、エスカレータなどの乗客コンベアの欄干パネル保持治具に関し、特に欄干パネルの着脱時に、取り外されている欄干パネルを一時的に保持する保持治具に関するものである。
【背景技術】
【０００２】
従来のエスカレータでは、移動手摺案内支持枠の下面の欄干パネル挿入部案内用凹溝に対応して長さ方向に締付ボルトを自由に移動および保持する締付ボルト案内用溝を設け、この締付ボルト案内用溝内に嵌装された締付ボルトにＵ字形状の押さえ材を係合し、この押さえ材の作用面内でボルト締めすることにより、押さえ材と欄干パネルに接触する接触片とが面接触するように構成されている。（例えば、特許文献１参照。）
【０００３】
従来のエスカレータにおいて、欄干パネルを取り外し、移動手摺りの裏面点検や駆動チェーンの調整などの保守を行うメンテナンスが行われ、メンテナンスが終了すれば、欄干パネルが取り付けられる。
そして、欄干パネルを取り外す場合には、締付ボルトに締着されているナットを緩め、押さえ材による欄干パネルの締め付けを緩めて、欄干パネルを取り外すことになる。また、欄干パネルを取り付ける場合には、欄干パネルを持って、欄干パネルの上端を欄干パネル挿入部案内用凹溝内に挿入し、押さえ材により欄干パネルを押さえつけた状態でナットを締め付け、欄干パネルを取り付けることになる。
【０００４】
【特許文献１】実開昭５１−７８５９２号公報
【発明の開示】
【発明が解決しようとする課題】
【０００５】
従来のエスカレータにおいては、欄干パネルの着脱に際し、作業者が欄干パネルを持ってナットを締め付けたり、緩めたりする必要があった。しかし、欄干パネルは大型であり、かつ、重量物であり、欄干パネル挿入部案内用凹溝の溝方向が傾斜していることから、作業者による欄干パネルの把持負荷が大きくなってしまう。また、ステップが傾斜していることから、取り外された欄干パネルをステップ上に仮置きできず、上部又は下部のニュアルまで運んで仮置きする必要がある。その結果、欄干パネルの着脱作業性が悪化してしまうという課題があった。
さらに、欄干パネルを欄干パネル挿入部案内用凹溝内に挿入しにくく、欄干パネルの挿入時に接触片がめくれたりして、欄干パネルの挿入作業性が悪化してしまうという課題もあった。
【０００６】
この発明は、このような課題を解決するためになされたものであり、欄干パネルの着脱時に、外された状態の欄干パネルを一時的に移動手摺りや欄干の移動手摺案内支持枠に吊り下げ保持するようにして、作業者の欄干パネルの把持負荷を軽減し、また外された欄干パネルのニュアルへの運搬をなくし、欄干パネルの着脱作業性や欄干パネルの挿入作業性を向上できる乗客コンベアの欄干パネル保持治具を得ることを目的とする。
【課題を解決するための手段】
【０００７】
この発明による乗客コンベアの欄干パネル保持治具は、移動手摺り又は欄干の移動手摺案内支持枠の反ステップ側に引っ掛けられ、該移動手摺りの外周面に沿って該移動手摺りのステップ側下方に至るように形成された固定部と、外された状態の欄干パネルの下辺を保持する保持部と、固定部と保持部とを弾性的に連結する弾性連結部材とを備えたものである。
【発明の効果】
【０００８】
この発明によれば、欄干パネルの着脱時に、欄干パネル保持治具が、固定部を移動手摺り又は欄干の移動手摺案内支持枠の反ステップ側に引っ掛けて取り付けられる。そして、外されている欄干パネルがその下辺を保持部に保持されて、移動手摺り又は欄干の移動手摺案内支持枠に固定された欄干パネル保持治具に吊り下げ保持される。そこで、作業者が、大型で、かつ、重量のある外されている欄干パネルの把持負荷が軽減され、また外された欄干パネルを仮置きするためにニュアルまで運搬する必要がなくなる。さらに、欄干パネル保持治具に保持されている欄干パネルを移動手摺案内支持枠に挿入する際に、弾性連結部材による付勢力が作業者の挿入力を補助するように作用し、作業者の欄干パネルの挿入負荷が軽減される。そこで、欄干パネルの着脱作業性や欄干パネルの挿入作業性が向上される。
【発明を実施するための最良の形態】
【０００９】
実施の形態１．
図１はエスカレータを示す全体側面図、図２はエスカレータにおける欄干パネルを示す斜視図、図３は図１のＩＩＩ−ＩＩＩ矢視断面図である。図４はこの発明の実施の形態１に係る欄干パネル保持治具を示す斜視図、図５はこの発明の実施の形態１に係る欄干パネル保持治具の使用状態を説明する図、図６は図５のＶＩ−ＶＩ矢視断面図、図７はこの発明の実施の形態１に係る欄干パネル保持治具の他の使用状態を説明する図である。
【００１０】
図１乃至図３において、エスカレータ１は、乗客が乗るステップ（図示せず）の両側に一対の欄干２が立設され、移動手摺り３が各欄干２の周縁部に配設されて構成されている。
欄干２は、上下のニュアル間で欄干２の上部側の周縁部を構成する移動手摺案内支持枠４と、上下のニュアル間で欄干２の下部側を構成するアングル５と、移動手摺案内支持枠４とアングル５との間に配設される欄干パネル６とを有する。
【００１１】
移動手摺案内支持枠４は、コ字状に成形され、コ字状の開口側を下方に向けて配設されている。そして、パッキン７が移動手摺案内支持枠４のコ字状のステップ側一辺先端に配設されている。また、Ｌ字金具８が移動手摺案内支持枠４のコ字状の底面にパッキン７に近接して締付ボルト（図示せず）により締着固定されている。そして、Ｌ字金具８は、締付ボルトによる締着を緩めることで、パッキン７に対して接離可能になっている。アングル５は、Ｌ字状に成形され、折り返し辺５ａを上方に向けて配設されている。欄干パネル６は、例えばステンレス製の矩形平板の相対する側辺をＬ字状に折り返し、さらに折り返し辺６ａの上下端部を切り欠いて形成されている。そして、欄干パネル６は、上辺がパッキン７とＬ字金具８の起立辺８ａとの間に挟持固定され、折り返し辺６ａをアングル５の折り返し辺５ａに載せて下辺がアングル５にネジ（図示せず）により締着固定されて、取り付けられている。
【００１２】
移動手摺り３は、断面Ｃ状に作製され、欄干２の移動手摺案内支持枠４の外周面に取り付けられたガイドレール９に摺動自在に装着され、ステップの移動に連動して移動するようになっている。
【００１３】
つぎに、欄干パネル保持治具１０の構造について図４に基づいて説明する。
欄干パネル保持治具１０は、移動手摺り３に固定される固定部１１と、欄干パネル３を保持する保持部１４と、固定部１１と保持部１４とを連結する弾性連結部材１５とを備えている。
固定部１１は、移動手摺り３を覆う形状に鋼板を折り曲げ成形され、一端に移動手摺り３のＣ状の一側（反ステップ側）の鍔部３ａに引っ掛かるＬ状のフック部１２と、フック部１２から移動手摺り３の外周に沿って移動手摺り３の他側（ステップ側）下方に至るようなＬ字状のベース部１３とを備えている。そして、ゴム材、フェルトなどからなるすべり防止材１６がフック部１２の鍔部３ａと接する部位、および、ベース部１３の移動手摺り３の外周面と接する部位に貼り付けられている。
保持部１４は、鋼板で作製され、下端に欄干パネル３の下辺を支持する折り返し部１４ａを備えている。そして、すべり防止材１６が、折り返し部１４の欄干パネル３と接する部位に貼り付けられている。また、ベース部１３の端部と保持部１４の上端とが例えば弦巻ばねなどからなる弾性連結部材１５により連結されている。
【００１４】
つぎに、このように構成された欄干パネル保持治具１０を用いた欄干パネル６の着脱作業について図５および図６を参照しつつ説明する。
まず、フック部１２を移動手摺り３の反ステップ側の鍔部３ａに引っ掛け、保持部１４を欄干２のステップ側に垂れ下げる。これにより、欄干パネル保持治具１０は、フック部１２が鍔部３ａに引っ掛かり、ベース部１３が移動手摺り３を覆うように配置され、保持部１４が欄干２のステップ側に垂れ下がって、移動手摺り３に吊設状態に取り付けられる。なお、欄干パネル保持治具１０は、例えば、欄干パネル６の移動手摺り移動方向の両側部に位置するように２箇所に取り付けられる。
【００１５】
ついで、締付ボルト１７の締着を緩め、Ｌ字金具８をパッキン７から離間させた後、締付ボルト１７を締め付け、Ｌ字金具８を固定する。これにより、欄干パネル６の上辺の締着が緩められる。
そして、欄干パネル６の下辺をアングル５に締着しているネジを取り外す。この時、欄干パネル６は、折り返し辺６ａがアングル５の折り返し辺５ａに係合し、落下が阻止されている。ついで、外された欄干パネル６を持ってその下辺を保持部１４の折り返し部１４ａに差し入れる。これにより、欄干パネル６は、図５および図６に示されるように、上辺がＬ字金具８の起立辺８ａに係合し、下辺が折り返し部１４ａに支持されて、一時的に保持される。
【００１６】
そして、移動手摺り３の裏面点検や駆動チェーンの調整などの保守点検を行う。この保守点検が終了すれば、欄干パネル６を持って、その上辺をパッキン７とＬ字金具８との間に差し入れつつ、その下辺を折り返し部１４ａから引き抜いて、折り返し辺６ａをアングル５の折り返し辺５ａ上に載せる。そして、締付ボルト１７の締着を緩め、Ｌ字金具８をパッキン７側に押し付けつつ締付ボルト１７を締め付ける。ついで、欄干パネル６の下辺をアングル５にネジで締着し、欄干パネル６が取り付けられる。
【００１７】
つぎに、Ｌ字金具８の取り替え作業について図７を参照しつつ説明する。
外された欄干パネル６は、図６に示されるように、上辺がＬ字金具８の起立辺８ａに係合し、下辺が折り返し部１４ａに支持されて、欄干パネル保持治具１０に一時的に保持される。この時、既設のＬ字金具８の起立辺８ａが短いと、欄干パネル６の上辺と起立辺８ａとの係合が外れやすくなる。
【００１８】
そこで、締付ボルト１７の締着を緩め、既設のＬ字金具８をパッキン７から離間させた後、締付ボルト１７を締め付け、Ｌ字金具８を固定する。ついで、欄干パネル６の下辺をアングル５に締着しているネジを取り外す。そして、欄干パネル６を持って上辺をパッキン７とＬ字金具８との間から引き抜き、折り返し辺６ａの下端をアングル５の折り返し辺５ａに載せ、欄干パネル６の上辺をベース部１３の移動手摺り３のステップ側下方への延出部に係合させる。これにより、欄干パネル６は、欄干パネル保持治具１０に一時的に保持される。
【００１９】
ついで、図７に示されるように、既設のＬ字金具８を起立辺８ａの長いＬ字金具８に取り替える。そして、欄干パネル６の下辺を折り返し部１４ａに挿入し、上辺をＬ字金具８の起立辺８ａに係合させる。その後、欄干パネル６の上辺をパッキン７とＬ字金具８との間に差し入れ、折り返し辺６ａの下端をアングル５の折り返し辺５ａに載せる。そして、締付ボルト１７の締着を緩め、Ｌ字金具８をパッキン７側に押し付けつつ締付ボルト１７を締め付ける。ついで、欄干パネル６の下辺をアングル５にネジで締着し、欄干パネル６が取り付けられる。
【００２０】
このように、実施の形態１によれば、欄干パネル６の着脱作業時に、欄干パネル保持治具１０を移動手摺り３に固定（吊設）すれば、外された欄干パネル６を欄干パネル保持治具１０に一時的に保持できる。従って、大型で、かつ、重量のある外されている欄干パネル３の把持負荷が軽減され、また外された欄干パネル３を仮置きするためにニュアルまで運搬する必要がなく、欄干パネル３の着脱作業性を向上させることができる。
また、欄干パネル３を保持する保持部１４が移動手摺り３に吊設されている固定部１３に弾性連結部材１５により連結されているので、保持されている欄干パネル３の上辺をパッキン７とＬ字金具８との間に挿入する際に、弾性連結部材１５による付勢力が作業者の挿入力を補助するように作用する。従って、作業者の欄干パネル３の挿入負荷が軽減され、欄干パネル３の挿入作業性が向上される。
【００２１】
また、すべり防止材１６がフック部１２の鍔部３ａと接する部位に設けられているので、保持部１４の重量、さらには支持されている欄干パネル６の重量がフック部１２と鍔部３ａとの間のすべり部材１６を圧縮させるように作用し、欄干パネル保持治具１０が傾斜する移動手摺り３に沿ってすべり落ちることが阻止される。
また、すべり防止材１６がベース部１３の移動手摺り３の外周面と接する部位に設けられているので、保持部１４の重量、さらには支持されている欄干パネル６の重量がベース部１３と移動手摺り３の外周面との間のすべり部材１６を圧縮させるように作用し、欄干パネル保持治具１０が傾斜する移動手摺り３に沿ってすべり落ちることが阻止される。
さらに、すべり防止材１６が折り返し部１４ａの欄干パネル３と接する部位に設けられているので、支持されている欄干パネル６の重量が折り返し部１４ａと欄干パネル６との間のすべり部材１６を圧縮させるように作用し、欄干パネル３が折り返し部１４ａに沿ってすべり落ちることが阻止される。
【００２２】
実施の形態２．
図８はこの発明の実施の形態２に係る欄干パネル保持治具の使用状態を説明する図である。
図８において、欄干パネル保持治具１０Ａは、移動手摺案内支持枠４の反ステップ側一辺先端に引っ掛かるように構成されている固定部１１Ａを有している。
なお、他の構成は上記実施の形態１と同様に構成されている。
【００２３】
この欄干パネル保持治具１０Ａは、フック部１２を移動手摺案内支持枠４の反ステップ側一辺先端に引っ掛け、保持部１４を欄干２のステップ側に垂れ下げて、移動手摺り３に吊設状態に取り付けられる。
従って、この実施の形態２においても、上記実施の形態１と同様の効果が得られる。
【００２４】
なお、上記各実施の形態では、固定部１１、１１Ａが鋼材で作製されているものとしているが、可撓性部材、例えば麻や合成樹脂繊維で編んだ帯状体で固定部のベース部を作製するようにしてもよい。この場合、欄干パネル保持治具は、ベース部が移動手摺り３の外周形状に沿った形状に曲がって吊設されることになり、移動手摺りの形状に拘わらず安定な状態に吊設されることができる。
【図面の簡単な説明】
【００２５】
【図１】エスカレータを示す全体側面図である。
【図２】エスカレータにおける欄干パネルを示す斜視図である。
【図３】図１のＩＩＩ−ＩＩＩ矢視断面図である。
【図４】この発明の実施の形態１に係る欄干パネル保持治具を示す斜視図である。
【図５】この発明の実施の形態１に係る欄干パネル保持治具の使用状態を説明する図である。
【図６】図５のＶＩ−ＶＩ矢視断面図である。
【図７】この発明の実施の形態１に係る欄干パネル保持治具の他の使用状態を説明する図である。
【図８】この発明の実施の形態２に係る欄干パネル保持治具の使用状態を説明する図である。
【符号の説明】
【００２６】
１  エスカレータ（乗客コンベア）、３  移動手摺り、６  欄干パネル、１０、１０Ａ  欄干パネル保持治具、１１、１１Ａ  固定部、１２  フック部、１３  ベース部、１４  保持部、１４ａ  折り返し部、１５  弾性連結部材、１６  すべり防止材。
【図１】
2005247573.tif 000003
【図２】
2005247573.tif 000004
【図３】
2005247573.tif 000005
【図４】
2005247573.tif 000006
【図５】
2005247573.tif 000007
【図６】
2005247573.tif 000008
【図７】
2005247573.tif 000009
【図８】
2005247573.tif 000010